(57)【要約】【課題】  自然任せのこれまでの水供給方法に終始するのでなく、積極的で確固たる水供給方法により砂漠などでも水に潤った地域を提供すること。【解決手段】  地表面に大口径の設置用凹所を形成したあと、同凹所に適合するような下部貯水凹材と同凹材を蓋設する上部蓋材とでなる貯水槽を設置し、同貯水槽内に水を貯留しておいて必要に応じて貯留水を提供可能にする。【選択図】  図１
2005248693.tif 000002
【特許請求の範囲】
【請求項１】
地表面に大口径の設置用凹所を形成したあと、同凹所に適合するような下部貯水凹材と同凹材を蓋設する上部蓋材とでなる貯水槽を設置し、同貯水槽内に水を貯留しておいて必要に応じて貯留水を提供可能にする人工的貯水とその利用方法。
【請求項２】
請求項１に記載のものにおいて、貯水槽としてゴム膜を使用する人工的貯水とその利用方法。
【請求項３】
請求項２記載のものにおいて、貯水槽の上部蓋部を内装したフロートで持ち上げ保持する人工的貯水とその利用方法。
【請求項４】
凹状の内面を反射面とした貯水槽を設置するとともに、反射した光を集めて貯水槽内に溜めた水を蒸発させて蒸発した水分から降雨を発生させるようにする人工的貯水とその利用方法。
【請求項５】
請求項４記載のものにおいて、貯水槽内に溜められる水の分子を微細クラスター質のものにする人工的貯水とその利用方法。
【発明の詳細な説明】
【技術分野】
【０００１】  本発明は、砂漠やその他水不足の発生が想定される個所などを対象にして当該地域に有効利用されるべく水を供給するための人工的貯水とその利用方法に関する。
【背景技術】
【０００２】  例えば、外国の砂漠では、飲み水が不足しているだけでなく土壌の水分も枯渇していて生物が殆ど成育しないのが実状である。
【発明の開示】
【発明が解決しようとする課題】
【０００３】  ところで、こうした砂漠では、近くを河川が流れている場合には、河川から用水路を造って農業用水を導くようにすることもできるが、殆どはそうした環境に恵まれていないのが現状である。そのための具体的な方策は採られていない。
上記に鑑み、本発明は、砂漠のような水不足の地域でもいつでも簡単に必要な水を供給することのできる人工的貯水とその利用方法を提供することを目的とする。
【課題を解決するための手段】
【０００４】  上記課題を解決するため、請求項１記載の発明方法は、地表面に大口径の設置用凹所を形成したあと、同凹所に適合するような下部貯水凹材と同凹材を蓋設する上部蓋材とでなる貯水槽を設置し、同貯水槽内に水を貯留しておいて必要に応じて貯留水を提供可能にする。
請求項２記載の発明方法は、請求項１に記載のものにおいて、貯水槽としてゴム膜を使用する。
請求項３記載の発明方法は、請求項２記載のものにおいて、貯水槽の上部蓋部を内装したフロートで持ち上げ保持する。
請求項４記載の発明方法は、凹状の内面を反射面とした貯水槽を設置するとともに、反射した光を集めて貯水槽内に溜めた水を蒸発させて蒸発した水分から降雨を発生させるようにする。
請求項５記載の発明方法は、請求項４記載のものにおいて、貯水槽内に溜められる水の分子を微細クラスター質のものにする。人工的貯水とその利用方法。
【発明の効果】
【０００５】  本発明によれば、自然任せのこれまでの水供給方法に終始するのでなく、積極的で確固たる水供給方法により砂漠などでも水に潤った地域を提供することができる。
【発明を実施するための最良の形態・実施例】
【０００６】  図１は、本発明に係る人工的貯水とその利用方法の一実施形態を示す。図１に示すように、１は砂漠などの地表面で、水を供給すべき地域の近くに大口径（１００ｍ口径とか５００ｍ口径など口径寸法の大小は問わない）で椀状をした設置用凹所２を掘削したあと、同凹所２に適合するようなゴム膜製の下部貯留凹部３を敷設し、同凹部３を蓋設するように同じくゴム膜製の上部蓋部４を上下のフランジ５を介して結合密閉化して貯水槽６を設置完成する。
【０００７】  同貯水槽６内には、上方から矢印Ａのように水を供給・補給して常時一定量になるように貯留しておき、内部のフロート７…による浮上持ち上げ力によって上部蓋部４を持ち上げるようにしておく。そして、必要に応じてバルブ付き抜き出しパイプ８を通じて矢印Ｂのように内部の貯留水９を飲み水などとして提供可能にする。
【０００８】  上記実施形態のほか、貯水槽６は、複数基設置してもよく、この場合、互いを連通させることができる。
上記下部貯水凹材３はゴム膜であったが、コンクリート・金属・樹脂その他の材料を用いてもよい。凹材３は複数層でもよい。
上記凹所２は、椀形であったが、縦断面でみて矩形であったり、平面視して矩形であったり、その他の幾何学形状を採用することができる。
上記上部蓋材４の上面には、網状材や多孔材などによる日除け１０を配して高温化を防止するようにしてもよく、この場合、日除け１０は、上下複数段にしてもよい。
上記地表面１における貯水槽６回りに対応する個所には、砂防手段１１を配備しておいてもよい。
【０００９】  図２は他の実施形態を示す。同実施形態は、例えば、砂漠の海岸から少し離れた海上に、凹状の内面を反射面１５とした貯水槽１６を設置するとともに、反射面１５から反射した光を集めて上部の集光反射面１７で再度反射して貯水槽１６内に溜めた水を蒸発させて砂漠の方向へ誘導した蒸発水分に基づいて降雨を誘起発生させるようにしたものである。
ここで、貯水槽１６は、海底に基部が固定され立設された傾動受体１８に太陽光の注ぐ向きにマッチさせるべく角度調節可能な装備されるとともに、貯水槽１６内に溜められる水は、導入水管１９の管上に１段階あるいは複数段階に配備したマグネット２０を通じてその分子を微細なクラスター化して導入するようにしてある。
【００１０】  尚、貯水槽１６内に導入される水は図示では多く蓄えられているが、実際は光が貯水槽１６内で効率的に通過し反射するように非常に低い水位としそれを保つように常時注がれるようなものとするのが好ましい。また、貯水槽１６内に導入される水は、海水でなく海水を淡水化したものとすることもできる。海水を一旦蒸発する水分はそのままでは砂漠の方へ導かれないので、角度変更可能に支持した強制ブロア２１により送り込むようにする。これにより、図の右側に示すように、蒸発分が降雨を促進するものとなり、これらを様々な用途に利用するものである。強制ブロア２１や前記淡水化装置のポンプなどの電力は、角度変更可能な太陽光発電装置２２により賄うようにしたり波動発電装置により賄うようにしてもよい。尚、貯水槽１６は海上に浮ばせてもよい。また、集光手段は、レンズによってもよい。この場合、レンズは複数個でもよい。
【００１１】  図３ないし図５は付加的な実施形態を示すもので、図３の右欄上下の図は図３の変形例を示し、図４は図３のＣ−Ｃ線断面図、図５は図３のＤ方向矢視図である。これらの図に基づいて説明する技術内容は後述する関連の他の実施形態でも同様に適用があり、後述する関連の他の実施形態で説明する技術は図３ないし図５の実施形態でも適用がある。
これらの図に示すように、同実施形態は、立食等のパーティーや行楽先や車中などでの食事の際に使用する皿で、その材質は、紙、プラスチック、金属、木材や陶磁器などである。
【００１２】  ３０は容器（皿）本体で、平面丸形をしており、その形状については右欄上図のようにむすび形や楕円（長円も含む）形、その他矩形などのすべての幾何学形状で作製することができる。容器本体３０は、一体プレス成形で製作されたもので、周縁部３１と仕切り３２…を残して全体が少し深く絞られ、そこに複数の凹部３３…が形成されるとともに下向きの凸部３４が形成されている。尚、３５は刺身しょうゆやソースなどの味液入れなどので、他に小さい凹部を付加することは自由である。
【００１３】  ３６は箸止めで、周縁部３１上に突設されているが、逆に孔を形成してそこに箸３７が置かれるようにしてもよい。３８は飲料容器の１つである缶容器、３９は紙やプラスチック、ガラスなどによるコップ容器で、これらの容器３８，３９の下半部が収まり上半部が上に突出して把持できるようにするやや深い飲料容器入れである周凹部４０が周縁部３１より少し内周寄りに凹設されている。同周凹部４０は、前記凸部３４と同寸法量下向きに突出する。そのことから図４および図５に示すようにテーブル４１上に容器本体３０を置くとき水平に安定する。４２は凸縁部で、その周部に仕切り３２が連結された形になっていて、凹部３４…が深く絞られていることと相俟って周縁部３１と凸縁部４２および仕切り３２が容器本体３０が全体としてその補強リブとなっている。尚、容器本体３０は、図４に示すように上下に他の容器本体と重合させることが可能になっている。また、４３は孔で、スプーン４４を差し立てることができる。容器本体３０は、真円形の他、真円と楕円との中間的な形状でもよいし、八角形などの多角形にしてもよい。
【００１４】  図３の右欄上図および下図の実施形態は、周部３点あるいはそれ以上の点数において周凹部４０…が形成され、そのうちの１つを利用して容器３８，３９を入れるようにしたり、刺身しょうゆを入れることができる。これらの図では周凹部４０…の１つを深くして容器３８，３９を入れるようにし他の周凹部４０…を浅くしてしょうゆ入れにし容器本体３０の全体は深底状にする場合と、周凹部４０…の全てを深く絞って容器本体３０の少し長い脚として機能するようにする場合とがある。尚、右欄上図の４５は仕切りで、ラッキーセブンである「７」の字に模してある。同仕切り４５の上面に凹所４６を設けて刺身しょうゆやソースその他のものを入れるようにしてもよい。「７」の字に代えて、例えば、図６の「祝」や「必勝」などを一体成形してその文字で凹みを作ってしょうゆ入れなどにしてもよい。
【００１５】  図３の右欄左図の楕円形の容器本体３０においては、箸３７用の凹溝付き箸置き４７を容器本体３０の外周に突設してある。
【００１６】  尚、図４に示すように、凸部３４は仮想線のような凹凸４８を形成して滑り防止を図ってもよい。凹凸４８は上からみて格子状にしてリブを兼ねるようにしてもよい。
【００１７】  前記周凹部４０には、凹凸などによりスリップ防止手段を施してもよい。
上記容器本体３０は、凹部３３…を取り皿部として利用することができるだけでなく周凹部４０に容器３８，３９を差し入れるとともに周凹部４０の筒部４９を例えば、左手で把持して持つことで容器本体３０だけでなく容器３８，３９を同時に持つことができるので持ったままで食べることと呑むことが同時にできるものである。
【００１８】  図６および図７の実施形態の容器本体５３は、丸皿状であるが上記他の形状でもよい。同本体５３は、３個所あるいはそれ以上（２個所でもよい）の個所に周凹部５４…を備えるとともに残る個所に仕切り５５により凹部５６…が形成されている。周凹部５４が３個所に設けられているので、図７に示すようにテーブル５７上に安定して本体５３を載せ置くことができる。
【００１９】  １つの周凹部５４を利用して容器５８を入れることができ、他の周凹部５４は、味液入れにしたりポテトチップ入れやスプーン入れなどにしてもよい。周凹部５４の全てを同じ形にする必要はない。
【００２０】  尚、前記容器本体５３は、還元可能な材料にすることが好ましい。
また、周縁部５９上には、立食パーティーであるように「今日のテーマ  ○○○○○…」が付されたシール６０を裏粘着シート６１で貼り付けるようにしてもよい。
さらに、こうした容器本体５３を立食パーティーなどの慶ばしい席で使用する向きに、周縁部５９などに「乾杯皿」や「開運皿」、「開運パーティー皿」、「当選皿」、「当選確実皿」…などと表示することもできる。
また、凹部５６には、「祝」を付してあるが、例えば、選挙応援のためのパーティーなどでは「必勝」と付したものが好ましい。
【００２１】  図８の実施形態は、前記全一体皿に代えて、皿部のみを容器本体６４とし、その一部に差込口６５を数個所開けておき、同口６５に別体の容器入れ６６を接着などにより一体化したものである。容器入れ６６は、その鍔６７を上から接着してあるが、その右図のように下方から接着してもよい。この場合、容器入れ６６が上に抜けることが防止される。また、さらに右図のように、外周には滑り止め６８を付してもよい。
【００２２】  尚、図９に示すように、周凹部７１は、手で把持しやすいように細胴状にするとともに容器７２も専用の細筒状のものにしてもよい。この場合、周凹部７１は、四角などの角形にすればさらに把持し易くなる（このことは他の実施形態でも同様に適用することがある）。
【００２３】  図１０の実施形態は、御手許（おてもと）とも称する箸入れ７５についてのものである。この箸入れ７５は、幅が１０ｃｍ前後の広いもので、箸７６を入れておくことができることは勿論、筆記具７７や名刺７８も入れておくことができる。そして、同箸入れ７５は、めくれる開運くじ７９や簡易メジャー８０、それにメモ欄８１も設けられているほか、「必勝」とか「○○後援会記念」とかの必要な表示も付されるようになっている。さらに、食事が終わったあとの口周りをチェックするためのミラー８２も設けられている。尚、同箸入れ７５はその一部を笛にもなるようにしてもよい。名刺７８は、前記容器本体の例えば、底面や周縁部に設けられるようにしてもよい。
【００２４】  図１１および図１２の実施形態は、工事用のヘルメットについてのもので、同ヘルメットを被って作業を終えたあとの髪の乱れを整えるためのミラー８６や櫛８７などを附属させるようにしたものである。工事用のヘルメットを対象に特定しないことは勿論である。８８は帽体、８９は止着具、９０はヘッドバンド、９１は従来はハンモックとも称されたプラスチック製の頭冠部、９２は従来は環ひもとも称されたプラスチック製の頭頂接部、９３は耳紐、９４は顎紐をそれぞれ示す。
【００２５】  帽体８８は、ＦＲＰやポリカなどの材質で、その周位に配された止着具８９…により耳紐９３が取り付けられるとともに、この耳紐９３の基部が帽体８８の最も内周面寄りにあるように設けられ、それより内周側に頭頂接部９２付き頭冠部９１が設けられている。そして、最も内周にヘッドバンド９０が配されている。この実施形態では、頭冠部９１と頭頂接部９２とがプラスチックで一体成形されたものであるが、従来のようにベルト状などで紐状にしたハンモックとその上端中央の環紐とで構成したものも対象とする。また。ヘッドバンド９０もプラスチック製であるが、ベルト状の従来のタイプのものでもよい。
【００２６】  同実施形態では、図１２の下欄に示すように、ミラー８６をポリカなどにより反り曲がるタイプとして頭冠部９１の基部に渡るように収納できるものとしてある。この場合、ミラー８６に、同じく反り曲がるタイプの櫛８７を相互差し込み自在として共に差し入れることができるようにしてもよい。ミラー８６と櫛８７とは別体で差し入れることができるようにしてもよい。ミラー８６などは弾性的に曲がって安定してヘルメット内にセットされる。そして、必要に応じて取り出せばミラー８６を使いながら櫛８７で髪の乱れをリセットすることができる。
【００２７】  また、図１２の右欄に示すように、帽体８８の後部内に係合片９６を一体あるいは接着、熱融着などにより備え付けておき、それに櫛８７やミラー８６などを出し入れ自在としてもよい。この場合も櫛８７とミラー８６を相互挿脱式にすることもでき、別体型にすることもできる。さらに、右上図のように、帽体８８の内面における頂部やその他の個所に係合片９８を備え付けておきて頭冠部９１相互間の空いたところを通じて出し入れできるようにしてもよい。
尚、図１１の左上欄に示すように、帽体８８の前面の標示Ｘに相当するものとして、剥離シートａ付きで裏面粘着剤を付した基板ｂとそれにヒンジｃを介して開閉自在とした蓋板ｄとでなる１セットを構成し、基板ｂか蓋体ｄのいずれかの面をミラーとして、前記粘着剤により帽体８８の前面あるいは後背面に装着するようにしてもよい。その他の個所に装着するようにしてもよい。基板ｂと蓋体ｄとは、図示のように凹凸係合手段で開閉自在にしたり、マグネットで開閉自在にしてもよい。基板ｂは、その裏面に突設した雄ねじを帽体８８に開けた子孔に通し帽体８８内からのナットで締め付けて固定するようにしてもよい。
図１１の左欄中段図に示すように、２枚離間板を一体化してなる基板ｅとそれから回転軸を介して回転により開閉されるミラー板ｆとで１セットを構成して基板ｅ裏面を介して粘着や面ファスナーなどにより着装するようにしてもよい。
図１１の左欄下段に示すように、基板ｇと蓋板ｈとを別体もので面ファスナーｉで脱着自在に構成し、これらｇ，ｈのいずれかをミラーとして構成することができる。基板ｇをミラーとし蓋板ｈを櫛としてもよい。図１１の左欄の各実施形態は、帽体８８の前面を装着の対象にしているが、例えば、後面や側面、頂面などを対象にしてもよい。
図１１の帽体８８の側面に仮想線で示す楕円は、直接ミラーｊで、帽体８８それ自身の表面に鏡面を形成したものである。同鏡面は帽体８８の前面や後面、頂面などに設けてもよく、また、帽体８８の全面あるいは前半面・後半面などに設けてもよい。同ミラーｊは、貼り付けたものでもよい。
【００２８】  図１３および図１４の実施形態は、ヘッドバンド９０の外周面に面ファスナー１０１を備えておき、このファスナー１０１に対するファスナー１０１を備えたミラー８６を脱着自在にしたものである。バンド９０と帽体８８との間には適度の隙間があるので脱着はしやすい。この場合、ミラー８６には櫛８７を脱着自在にしたりさらに筆記具１０２を付帯させ得るようにしてもよい。１０３はホルダーである。また、図１３に示すように、帽体８８の外面後部に係合片１０４を備えておき、これにミラー８６や櫛などを挿脱自在にしてもよく、この場合、係合片１０４には筒部１０５を介して筆記具１０２を挿脱自在にしてもよい。
【００２９】  図１５は、ヘルメットを開口側からみた様子を示し、同ヘルメットのヘッドバンド９０には、めくり上げることのできるビニール製などの保護幕１０８が頭の前回りに接触するように設けられているが、そのめくり上がったところがヘッドバンド９０との間でふところ状になることもあって、その個所にミラー８６や櫛などを出し入れ自在としてもよい。この場合にも面ファスナー１０９を利用してより安定化するようにしてもよい。
【００３０】  図１６の実施形態は、前記頭頂接部９２の環状部１１１内に押さえバンド１１２を付しておき、ミラー８６や櫛などをこれら環状部１１や押さえバンド１１２を利用して差込固定するようにしたものである。押さえバンド１１２は横断状のものであるが、互いに離れた一対のもので構成してもよい。
【００３１】  図１７は、ヘルメットの側部を開口側からみた様子を示す拡大図を示し、前記頭冠部９１の一対間にミラー８６や櫛などを差し入れるようにした実施形態で、頭冠部９１に突片１１４を介して差し込むようにしてもよい。また、回転するように指示する矢印のように止着具８９回りにミラー８６や櫛を回転自在に止め着けておき、矢印Ｘのように回転させることでヘルメット内に入ったり出たりするようにしてもよい。
尚、ヘルメットについて、それ自体の内周面に直接蒸着によるミラーを付したり、ステンレスミラーＳＴＭ３７８（合資会社アイワーク製など）を付してもよい。ステンレスミラーの場合、マグネットシートで脱着可能にしてもよい。
【００３２】  図１８の実施形態は、ハットなどの帽子１１６の鍔１１７の底面にホルダー（面ファスナーでもよい）１１８を介してミラー８６を付しておいたり、折り返し１１９内に櫛８７やミラー８６を入れておいたりして必要時に取り出したりして使用することができる。外周のリボン１２０とクラウンとの間にミラー８６を挟み込んでおいてもよい。尚、図１８の下欄図は、ハットに似た形をした特殊帽子Ｈであるが、特に、その材質をチタンとかポリカーボネートなどで一体成形したもので、防災用として機能を発揮するようにしたものである。内部には落下物などに対しての緩衝材を備えてもよい。
【００３３】  図１９の実施形態は、不特定の場所に設置される発光ダイオードによる映像装置１２１で、ここでは靡く日の丸が空色の背景のもとで制御で動的に映され、それに伴う表示１２２も同時に表現されるようになっている。１２３はスピーカーであり、この装置１２１には、他の国旗なども映される。図２０の映像は、地震後に襲来する津波に対する避難場所を広く一般に知らせるようにしたもので、地震がある（地震がない場合も含む）と自動的に警報表示が作動して高台下に報知し得るものである。海岸などには津波タワーなどが設置されて避難可能とされるが、同タワー上などにこの映像装置１２１を設置しておいて津波の襲来とタワーの存在位置を広く知らしめるようにしてもよい。この場合、「ここが避難タワー！……」という表示になるとともに警告放送も始まり、閃光を発するようにもする。
【００３４】  図２１の実施形態は、映像装置１２６を前方凸形としたもので、この場合、側方へも映像を放射できるように反射装置１２７も同時に設置してもよい。
【００３５】  図２２の実施形態は、屈折型の映像装置１２９としてより広い範囲に映像が見えるようにしたものである。
【００３６】  図２３および図２４は、特定の現象から交通事故を有効に防止するための実施形態を示す。図２３に示すように、一方（図の左右方向）が優先道路１３１であり、それに直交する道路が非優先道路１３２である。非優先道路１３２を走行してくる車１３３は一旦停止して左右を確認する義務がり、非優先道路１３２を走行中に車１３３の運転者が優先道路１３１での走行車１３４の存在が確認されないと、即座に左折などの行動に移る場合がある。ここで、優先道路１３１の車１３４と非優先道路１３２の車１３３とが殆ど同じ速度で近づく場合、車１３３からみると他方の車１３４の存在が確認し難いという特殊な現象がある。これはいずれもが優先・非優先でない田圃内の道路交差部分で発生しやすく、これが交通事故につながる。
【００３７】  そこで、車１３４側の天井屋根に放射状の閃光を発するバッテリあるいはソーラー式の装置１３５を設置可能とし、この装置１３５により相手側の車１３３の運転者に注意を喚起して交通事故を未然に防止するようにしたものである。装置１３５は、閃光が一定であると効果が薄いので、閃光の速度が可変であったり強弱が可変であったり、あるいは装置が上下したり変動するようにしてもよい。また、図２４のように、側面ガラス１３６に閃光を発する（あるいは反射機能をもつものでもよい）側面ワイパー１３７を付してもよい。
尚、非優先道路１３２側には、「とまれ」の標示が付されるが、この標示自体の塗装厚さは３〜５ｍｍ前後の薄いものであるが、これを８〜１２ｍｍ程度の厚みのあるものにして停止の感知がより一層確実になるようにしてもよい。
また、車１３３，１３４のサイドミラーの本体ケース自体が常時あるいは必要に応じて発光するようにして相手の車の運転手に確認できるようにしてもよい。
【００３８】  図２５に示す実施形態は、工事用ヘルメットである帽体１４０に耳紐１４１と顎紐１４２を備えるとともに内部に緩衝用の図１１および図１２のようなヘッドバンド・頭冠部・頭頂接部などを装備してなるもので、特に、同帽体１４０に、ヘアー１４３を着装したものである。同ヘアー１４３は、かつらのように帽体１４０にフィット可能な形態のネットなどのベースに植設したものを粘着シートや面ファスナーなどの装着手段により帽体１４０に装着するようにしたり、帽体１４０をベースにしてその外面に直接植設するものとする。
【００３９】  また、ヘアー１４３は、形態（ストレート・パーマなど）やカラーなど、必要に応じられるものとすることができる。
こうしたヘアー１４３付きヘルメットは、工事現場以外での例えば一般市街地などでの使用に遠慮勝ちであったこれまでのヘルメットの使用範囲を格段に広げることができるものとなる。
【００４０】  それとともに一般市街地などでも違和感少なく着装できるので、一般市街地でこうしたヘアー付きヘルメットを着装して行動すれば、例えば、地震発生時にビルなどの高所からガラスやタイルなどが落下してきても防護機能を発揮することができるし、その際ヘアー１４３が防護機能の向上に寄与することになる。
【００４１】  ヘアー１４３付きであるとヘルメットにありがちな内熱の発生や蒸れなどを抑えることができ、市街地でも工事現場でも爽快に行動することができることになる。この場合、帽体１４０に通気孔を開けておくことができ、それは多数個でもよい。この多孔の一部あるいは前部を利用してヘアー１４３を装着することもできる。
また、帽体１４０の外面に多数の凹凸を形成してその凹部をヘアー１４３の植設部としてもよく、この場合、凹凸は強度アップと緩衝機能の向上に寄与する。
さらに、ヘアー１４３それ自体は、例えば、１００本あるいは１０００本など多数本を１つの単位束として１枚のベース粘着シートに植設して構成したものの多数単位を寄せ合わせて１つのヘアー１４３を形成するようにしてもよい。
また、前記ヘルメットは前鍔付きのものでもよい。
【００４２】  図２６に示す実施形態は、ヘルメットに適切なＦＲＰやポリカーボネートなどの材質を使用した防護基体１４５を自己ヘアー１４６の上からややゆるやかに適合して被冠する形状として形成し、その基体１４５の表面に人工ヘアー１４７を多数本植設したものをすっぽりと頭に被るように構成したものである。図２６は被り終わる少し前の様子を示している。
【００４３】  同防護基体１４５の前縁部１４８は、被る者の額の上部に軽く適合してくるものとし、そこには本人の額の肌に近似する肌色を付しておくものとする。この前縁部１４８には前鍔状に突き出すものを付してもよい。
尚、危険落下物から頭部をガードする防護基体１４５の後背部下縁からは、後首回りをガードするやや軟質な防護垂れ１４９を付してもよい。
また、防護基体１４５の内面には、緩衝材を付したり、同基体１４５それ自体には、多孔を明けておいて蒸れを防止するようにすることができる。
【図面の簡単な説明】
【００４４】
【図１】  本発明の一実施例を示す人工的貯水とその利用方法の概念模式図。
【図２】  他の実施形態を示す概念模式図。
【図３】  立食パーティー皿の実施形態を示す平面図。
【図４】  図３のＣ−Ｃ線断面模式図。
【図５】  図３のＤ矢視図。
【図６】  他の実施形態を示す平面図。
【図７】  図６の正面図。
【図８】  他の実施形態を示す断面模式図。
【図９】  他の実施形態を示す断面模式図。
【図１０】  他の実施形態を示す平面図。
【図１１】  ヘルメットについての他の実施形態を示す側面図。
【図１２】  図１１のヘルメットの底面図。
【図１３】  他の実施形態を示す側面図。
【図１４】  要部拡大図。
【図１５】  他の実施形態を示す要部拡大斜視図。
【図１６】  他の実施形態を示す底面図。
【図１７】  他の実施形態を示す要部拡大斜視図。
【図１８】  他の実施形態を示す側面図。
【図１９】  他の実施形態を示す正面図。
【図２０】  他の実施形態を示す正面図。
【図２１】  他の実施形態を示す平面模式図。
【図２２】  他の実施形態を示す平面模式図。
【図２３】  他の実施形態を示す平面図。
【図２４】  図２３の装置の拡大図。
【図２５】  他の実施形態を示す左側面図。
【図２６】  他の実施形態を示す斜視図。
【符号の説明】
【００４５】１    地表面
２    設置用凹所
３    下部貯水凹材
４    上部蓋材
６    貯水槽
７    フロート
９    貯留水
１０  日除け
１５  反射面
１６  貯水槽
１７  集光反射面
２１  強制ブロア
【図１】
2005248693.tif 000003
【図２】
2005248693.tif 000004
【図３】
2005248693.tif 000005
【図４】
2005248693.tif 000006
【図５】
2005248693.tif 000007
【図６】
2005248693.tif 000008
【図７】
2005248693.tif 000009
【図８】
2005248693.tif 000010
【図９】
2005248693.tif 000011
【図１０】
2005248693.tif 000012
【図１１】
2005248693.tif 000013
【図１２】
2005248693.tif 000014
【図１３】
2005248693.tif 000015
【図１４】
2005248693.tif 000016
【図１５】
2005248693.tif 000017
【図１６】
2005248693.tif 000018
【図１７】
2005248693.tif 000019
【図１８】
2005248693.tif 000020
【図１９】
2005248693.tif 000021
【図２０】
2005248693.tif 000022
【図２１】
2005248693.tif 000023
【図２２】
2005248693.tif 000024
【図２３】
2005248693.tif 000025
【図２４】
2005248693.tif 000026
【図２５】
2005248693.tif 000027
【図２６】
2005248693.tif 000028